(57)【特許請求の範囲】
【請求項１】
電磁弁のソレノイドに給電するための給電端子を有し、複数個連設して使用されるマニホールドベースと；該マニホールドベースに設置され、給電端子による上記ソレノイドへの給電と手動操作手段の操作との何れによっても作動して、圧力流体の出力ポートを供給ポートと排出ポートとに切り換えて連通させる上記電磁弁；とを備えた電磁弁マニホールドにおいて、
上記マニホールドベースが、給電端子によるソレノイドへの給電を通断する操作子を有するスイッチ機構を備えている、
ことを特徴とするスイッチ機構付き電磁弁マニホールド。
【請求項２】
スイッチ機構を、給電端子への給電を通断するものとした、
ことを特徴とする請求項１に記載したスイッチ機構付き電磁弁マニホールド。
【請求項３】
マニホールドベースに凹部を形成し、この凹部内にスイッチ機構の操作子を設けた、
ことを特徴とする請求項１または請求項２に記載したスイッチ機構付き電磁弁マニホールド。
【発明の詳細な説明】
【０００１】
【発明の属する技術分野】
本発明は、スイッチ機構を有する電磁弁マニホールドに関するものである。
【０００２】
【従来の技術】
マニホールドベースに設置した電磁弁を、マニホールドベースによってレール等に複数個連設した電磁弁連設体は、特に例示するまでもなく本出願前周知であり、この電磁弁には、停電等の事故によってソレノイドによる電磁弁の作動ができなくなったときのために、手動によって電磁弁を作動させる手動操作手段が設けられている。
上記周知の電磁弁連設体は、連設方向の一端に給電部を備え、コントローラから給電部を介して出力される電気信号により、連設した個々の電磁弁のソレノイドを励磁及び励磁解除して、これらの電磁弁を作動することができる。また、停電等の事故のためにソレノイドによる電磁弁の作動ができないときは、手動操作手段によって電磁弁を作動することができる。
【０００３】
本発明の発明者らは、特願平６−３２９７１２号において、電磁弁連設体の連設方向の一端にスイッチユニットを設け、このスイッチユニットに、個々の電磁弁を、コントローラの出力端子に接続する状態と、電源端子に接続する状態と、通電解除状態とに切り換えるスイッチを、電磁弁と同数個一括して設けた電磁弁制御装置を提案した。
この電磁弁制御装置は、スイッチによって、所望の電磁弁をコントローラの出力端子に接続するとその電磁弁をコントローラの出力信号によって作動することができ、電源端子に接続すると電源によって直接作動することができ、通電解除状態にすると手動操作手段によって手動操作することができる。
【０００４】
しかしながら、上記電磁弁制御装置は、スイッチと該スイッチの操作対象電磁弁との関係についての配慮に欠けるところがあり、複数個のスイッチを電磁弁連設体の一端に設けたスイッチユニットに一括して設置しているために、操作対象電磁弁と関係がない他の電磁弁のスイッチを誤操作する場合がある。
【０００５】
【発明が解決しようとする課題】
本発明が解決しようとする課題は、誤操作の恐れがないスイッチ機構付き電磁弁マニホールドを提供することにある。
【０００６】
【課題を解決するための手段】
上記課題を解決するため、本発明のスイッチ機構付き電磁弁マニホールドは、電磁弁のソレノイドに給電するための給電端子を有し、複数個連設して使用されるマニホールドベースと；該マニホールドベースに設置され、給電端子による上記ソレノイドへの給電と手動操作手段の操作との何れによっても作動して、圧力流体の出力ポートを供給ポートと排出ポートとに切り換えて連通させる上記電磁弁；とを備えた電磁弁マニホールドにおいて、上記マニホールドベースが、給電端子によるソレノイドへの給電を通断する操作子を有するスイッチ機構を備えていることを特徴としている。
【０００７】
また、同様の課題を解決するため、上記スイッチ機構を、給電端子への給電を通断するものとしたこと、及びマニホールドに凹部を形成して、この凹部内にスイッチ機構の操作子を設けたことを特徴としている。
【０００８】
マニホールドベースに設けたスイッチ機構がオンのときは、マニホールドベースの給電端子から電磁弁のソレノイドに給電できるので、ソレノイドの励磁とその解除とによって電磁弁が作動するので、出力ポートを供給ポートと排出ポートとに切り換えて連通させることができる。
操作子によってスイッチ機構をオフにすると、給電端子によるソレノイドへの給電が断たれるので、手動操作手段によって電磁弁を作動することができる。したがって、コントローラによる電気信号と関係なく電磁弁を手動によって作動することができる。
【０００９】
この場合、電磁弁とマニホールドベースが１対１で対応してその対応関係が明確であるから、マニホールドベースによって電磁弁を複数個連設しても、誤って他の電磁弁の操作子を操作する危険がない。
また、マニホールドベースにスイッチ機構を設けたので、スイッチ機構がない通常の電磁弁を使用することができる。
さらに、給電端子からソレノイドに給電している場合でも、スイッチ機構をオフにすると手動操作手段によって電磁弁を作動できるので、手動操作手段の調整が容易である。
また、スイッチ機構を給電端子への給電を通断するものとしたことにより、給電端子と給電側との電気的導通を、個々の抵抗チェックによって完成品の状態で容易に確認できるので、スイッチ機構の導通検査が容易であり、したがって、組立てやメンテナンスの信頼性が向上する。
【００１０】
【発明の実施の形態】
図は本発明の実施例を示し、この電磁弁マニホールド１は、マニホールドベース２と、取付ボルト３ａ，３ａによってマニホールドベース２に取付けられた電磁弁３とを備え、マニホールドベース２によってレール４に複数個連設されている。上記マニホールドベース２の連設方向端には、電磁弁３の後記するソレノイドに一括して給電するための給電箱５とエンドプレート６，６とが設けられ、これらの部材は、取付ねじ７ａでレール４に取付けられた取付部材７，７によってレール４に固定されている。
【００１１】
マニホールドベース２は、連設方向に貫通しかつ連設によって気密に連通する圧縮空気の供給流路及び２個の排出流路（何れも図示省略）を備え、これらの流路は、エンドプレート６に設けた複数個の開口（図示省略）に個別に連通するとともに、該マニホールドベース２の弁設置面に開口する供給口９と排出口１０，１０とに個別に連通している。また、マニホールドベース２の弁設置面には、後述するスイッチ機構１２が設けられている。
電磁弁３は、主弁１４と、図における上下方向に配設した２個のパイロット弁（図示省略）を有するパイロット弁部１５と、これらのパイロット弁のソレノイド１５ａ，１５ｂ（図２も参照）に給電する給電部１６とを備えている。
【００１２】
上記主弁１４は、１個の圧縮空気の供給ポート、２個の出力ポート及び２個の排出ポート（何れも図示省略）を備え、取付ねじ３ａ，３ａによってマニホールドベース２に取付けられると、供給ポートと２個の排出ポートが供給口９と排出口１０，１０に個別に連通し、２個の出力ポートは、マニホールドベース２の電磁弁設置面に開口する出力口１１，１１に個別に連通するとともに、マニホールドベース２に形設した流路によってマニホールドベース後面の開口に連通している。
上記パイロット弁は、供給流路に連通するパイロット供給ポート、主弁１４にパイロット流体を出力するパイロット出力ポート、及び排出流路の一方に連通するパイロット排出ポート（何れも図示省略）を備え、ソレノイド１５ａ，１５ｂを励磁するとパイロット供給ポートとパイロット出力ポートが連通して主弁１４にパイロット流体を出力し、ソレノイドの励磁を解除するとパイロット出力ポートとパイロット排出ポートが連通して主弁のパイロット流体を排出する、周知の常閉形３ポート電磁弁として構成されている。
【００１３】
また、パイロット弁部１５と、主弁１４とパイロット弁部１５間のアダプタ１７とに、押圧によってパイロット供給ポートとパイロット出力ポートを連通させ、押圧を解除するとばねにより復帰してパイロット出力ポートとパイロット排出ポートを連通させる、第１手動操作手段１８ａと第２手動操作手段１８ｂ（図示の例は手動操作釦）が設けられている。
【００１４】
上記給電部１６は、下側（マニホールドベース２側）に端子箱２０を備え、取付ねじ等の適宜の手段によってパイロット弁部１５に取付けられており、端子箱２０に設けた受電端子２０ａ，２０ｂ，２０ｃ（図２参照）は、電磁弁３をマニホールドベース２に設置すると、マニホールドベース２に設けた給電端子箱２１の給電端子２１ａ，２１ｂ，２１ｃにそれぞれ電気的に接続される。また、ソレノイド１５ａ，１５ｂは、図２に示す給電回路２４によって、受電端子２０ａ，２０ｂ，２０ｃから給電される。
【００１５】
図２に示すように、マニホールドベース２に設けた上記スイッチ機構１２は、中継端子２３のピン２３ａ，２３ｂ，２３ｃと給電端子箱２１の給電端子２１ａ，２１ｂ，２１ｃとの電気的接続を通断する操作子１２ａ，１２ｂ，１２ｃ（図示の例は手動操作釦）を備え、これらの操作子は、マニホールドベース２の弁設置面に形成した凹部２ａ内に設けられている（図１参照）。したがって、不注意にマニホールドベース２の弁設置面に手を触れても、これらの操作子が不時に作動することはない。
なお、上記操作子は、図１に二点鎖線で示すように、マニホールドベース２の前面に設けた凹部２ｂ内に設置することもできる。
【００１６】
図示のスイッチ機構１２は、個別に操作可能な３個の操作子１２ａ，１２ｂ，１２ｃを有しているが、操作子１２ａ，１２ｂ，１２ｃが連動して作動して給電端子２１ａ，２１ｂ，２１ｃと中継端子のピン２３ａ，２３ｂ，２３ｃとの電気的接続を同時に通断するもの、操作子１２ａと１２ｂとが連動して作動して給電端子２１ａ，２１ｂと中継端子のピン２３ａ，２３ｂとの電気的接続を同時に通断するもの、或いは操作子１２ｃが作動して給電端子のコモン端子２１ｃと中継端子のピン２３ｃとの電気的接続を通断するものとすることができる。そして、スイッチ機構１２をこれらの何れかにしたときは、凹部２ａまたは２ｂ内の操作子を１つとすることができる。
【００１７】
図１中の符号２６は給電部１６を覆うカバー、符号２７は、給電回路２４の通電を表示する発光ダイオード（図示省略）の点灯を外部から視認するための表示灯カバーである。
【００１８】
上記実施例は、マニホールドベース２の弁設置面に電磁弁３を設置すると、電磁弁３の各ポートがそれぞれ対応する開口に連通して、マニホールドベース２の供給流路と２個の排出流路から電磁弁３に圧縮空気等の圧力流体を給排することができる。また、マニホールドベース２の給電端子２１ａ，２１ｂ，２１ｃと電磁弁３の受電端子２０ａ，２０ｂ，２０ｃとが電気的に接続するので、中継端子２３からソレノイド１５ａ，１５ｂに給電することができる。
操作子を押圧してスイッチ機構１２をオンにしたときは、中継端子２３に接続したコントローラ（図示省略）の電気信号によってソレノイド１５ａ，１５ｂが励磁及び励磁解除されるので、電磁弁３が作動して２個の出力ポートを供給ポートと２個の排出ポートとに切り換えて連通させる。
停電等の事故や緊急の場合は、操作子を再度押圧してスイッチ機構１２をオフにすると、中継端子２３のピンと給電端子との電気的接続が断たれるので、手動操作手段１８ａ，１８ｂの押圧とその解除とによって電磁弁３を作動することができる。
【００１９】
上記スイッチ機構１２によるソレノイド１５ａ，１５ｂへの給電の通断は、個々の電磁弁３毎に行うことができるので、中継端子２３から複数個連設した電磁弁マニホールド１，・・に一括して給電する場合であっても、所望の電磁弁３のソレノイドへの給電を断つことができる。
また、電磁弁３を設置したマニホールドベース２にスイッチ機構１２を設けたことにより、操作対象電磁弁とスイッチ機構１２の操作子とが１対１で対応してその対応関係が明確であるから、スイッチ機構１２を誤操作する危険がない。
さらに、スイッチ機構１２のオン・オフ或いはオフ状態において手動操作手段１８ａ，１８ｂを操作できるので、電磁弁３に給電した状態で手動操作手段１８ａ，１８ｂを調整をすることができる。
【００２０】
上記実施例は、マニホールドベース２にスイッチ機構１２を設けたことによって、スイッチ機構１２を有しない通常の電磁弁をそのまま使用できるので、電磁弁の信頼性と経済性が向上する。
また、スイッチ機構１２によって中継端子２３のピンと給電端子との電気的接続を通断するために、これらの間の導通を個々の抵抗チェックによって完成品の状態で容易に確認できるので、スイッチ機構１２の導通検査が容易である。
さらに、中継端子２３のピンと給電端子との間には電子素子等の他の部品がないので、マニホールドベース２の組立てやメンテナンスが容易で、信頼性が向上する。
【００２１】
なお、本発明の電磁弁は図示のパイロット式５ポート電磁弁に限定されるものではなく、パイロット式の３ポート弁または４ポート弁とすることができ、さらには、ソレノイドによって直接弁体を駆動する直動式の電磁弁とすることもできる。
【００２２】
【発明の効果】
本発明のスイッチ機構付き電磁弁マニホールドは、スイッチ機構を電磁弁を設置するマニホールドベースに設けたことにより、スイッチ機構の操作子と電磁弁が１対１で対応して明確であるから、マニホールドベースによって電磁弁を複数個連設した場合であっても他の電磁弁の操作子を誤操作する危険がない。
また、スイッチ機構のない電磁弁をそのまま使用できるので、電磁弁の信頼性と経済性を向上することができる。
さらに、スイッチ機構を給電端子への給電を通断するものとしたので、スイッチ機構の導通検査が容易であり、またマニホールドベースの組立てやメンテナンスが容易で、信頼性が向上する。
また、マニホールドベースの弁設置面または前面に形成した凹部内にスイッチ機構の操作子を設けたので、不注意にマニホールドベースに手を触れても操作子を作動させる恐れがない。
【図面の簡単な説明】
【図１】一部を分離した実施例の斜視図である。
【図２】同じく給電回路図である。
【符号の説明】
１    電磁弁マニホールド
２    マニホールドベース
２ａ，２ｂ  凹部
３    電磁弁
１２  スイッチ機構
１２ａ，１２ｂ，１２ｃ  操作子
１５ａ，１５ｂ  ソレノイド
１８ａ，１８ｂ  手動操作手段
２１  給電端子箱
２１ａ，２１ｂ，２１ｃ  給電端子
【図１】
0003676499.tif 000002
【図２】
0003676499.tif 000003